(57)【要約】【課題】便座支持部材を下降させてから所定時間は自動洗浄が行われないので、便器本体の清掃中に予期せず便器洗浄水が流れたり、清掃動作に伴って何回も水が流れて無駄になったりすることが防止される便器設備を提供する。【解決手段】便座３ｅ及び便蓋３ｆが起倒方向回動自在に取り付けられている便座支持部材２のフロントベースプレート３ａに開閉ユニット１３及び温水洗浄ノズル１０，１１が設置されている。リアベースプレート４ａに浮上ユニット２０とフラッシュ用のバルブユニット２４が設けられている。便座支持部材２が浮上時にあるときには自動フラッシュ及びマニュアル洗浄が停止されている。便座支持部材２が下降した後もさらに所定時間ｔの間は自動フラッシュが停止され、この間はマニュアル洗浄のみが可能となっている。【選択図】　図３
2004089524.tif 000002
【特許請求の範囲】
【請求項１】
便器本体と、
該便器本体に昇降可能に設けられた便座支持部材と、
該便座支持部材に起倒可能に支持された便座と、
該便器本体の鉢部に洗浄水を流すための便器洗浄装置と、
該便器本体の使用に応じて該便器洗浄装置を作動させる自動洗浄手段と、
を有する便器設備において、
該便座支持部材が便器本体上に降下した後、所定時間、該自動洗浄手段による便器洗浄動作を停止させる手段を備えたことを特徴とする便器設備。
【請求項２】
便器本体と、
該便器本体に設けられた便座支持部材と、
該便座支持部材に起倒可能に支持された便座と、
該便座支持部材を昇降させる昇降装置と、
該昇降装置を作動させて便座支持部材を上昇又は下降させるスイッチと、
該便器本体の鉢部に洗浄水を流すための便器洗浄装置と、
該便器本体の使用に応じて該便器洗浄装置を作動させる自動洗浄手段と、
を有する便器設備において、
該便座支持部材を下降させるように該スイッチが操作されると、それから所要時間にわたり該自動洗浄手段による便器洗浄動作を停止させる手段を備えたことを特徴とする便器設備。
【発明の詳細な説明】
【０００１】
【発明の属する技術分野】
本発明は、便座支持部材を昇降させる機構を備えた便器設備に関する。
【０００２】
【従来の技術】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材を洋風便器に対し上下動可能とし、洋風便器の清掃時に便座支持部材を便座と共に上方に移動（浮上）させるようにしたものが提案されている（特開２０００−３３０５１号公報、特開２０００−１０４３０７号公報）。
【０００４】
後者の特開２０００−１０４３０７号公報には、スイッチ操作により便座支持部材を昇降させること；及び、便座支持部材が浮上状態にあるときにはフラッシュスイッチを押してもフラッシュ動作を行わせないことが記載されている。
【０００５】
【特許文献１】
特開２０００−３３０５１号公報
【特許文献２】
特開２０００−１０４３０７号公報
【０００６】
【発明が解決しようとする課題】
洋風便器に自動洗浄機能を設けることがある。この自動洗浄機能を有した洋風便器にあっては、例えば人が便座から立ち上ったり、人が洋風便器から離反したりすると、自動的にフラッシュ装置が作動して洋風便器に洗浄水が供給される。なお、人を検知すると、少量の水を鉢部に流して鉢面を濡らす予備洗浄動作を行わせることもある。
【０００７】
このような自動洗浄機能を有した便器設備において便座支持部材を昇降式とした場合、便座支持部材を降下させて便座や鉢面を清掃するときに意図せずにフラッシュ動作するおそれがある。
【０００８】
本発明は、便座支持部材を昇降式とした便器設備において、清掃時に便器洗浄水が無駄に流れることを防止しようとするものである。
【０００９】
【課題を解決するための手段】
本発明（請求項１）の便器設備は、便器本体と、該便器本体に昇降可能に設けられた便座支持部材と、該便座支持部材に起倒可能に支持された便座と、該便器本体の鉢部に洗浄水を流すための便器洗浄装置と、該便器本体の使用に応じて該便器洗浄装置を作動させる自動洗浄手段とを有する便器設備において、該便座支持部材が便器本体上に降下した後、所定時間、該自動洗浄手段による便器洗浄動作を停止させる手段を備えたことを特徴とするものである。
【００１０】
かかる便器設備にあっては、浮上状態にある便座支持部材を便器本体上に降下させた場合、それから所定時間は自動洗浄が停止される。そのため、この間に便座や鉢面等を清掃しても自動的に洗浄水が流れることはない。
【００１１】
本発明（請求項２）の便器設備は、便器本体と、該便器本体に設けられた便座支持部材と、該便座支持部材に起倒可能に支持された便座と、該便座支持部材を昇降させる昇降装置と、該昇降装置を作動させて便座支持部材を上昇又は下降させるスイッチと、該便器本体の鉢部に洗浄水を流すための便器洗浄装置と、該便器本体の使用に応じて該便器洗浄装置を作動させる自動洗浄手段とを有する便器設備において、該便座支持部材を下降させるように該スイッチが操作されると、それから所要時間にわたり該自動洗浄手段による便器洗浄動作を停止させる手段を備えたことを特徴とするものである。
【００１２】
かかる便器設備にあっては、便座支持部材を下降させるべくスイッチを操作すると、それから所要時間にわたり自動洗浄が停止される。これにより、上記請求項１の場合と同様に、この所要時間内に便座や鉢面等を清掃しても自動的に洗浄水が流れることはない。
【００１３】
【発明の実施の形態】
以下、図面を参照して実施の形態について説明する。図１は実施の形態に係る便器設備の側面図であり、（ａ）図は便座支持部材の浮上前、（ｂ）図は便座支持部材の浮上後の状態を示している。図２は、この便器設備の斜視図、図３は制御ブロック図である。
【００１４】
陶器製の洋風便器本体１の後部上面に便座支持部材２が昇降可能に設置されており、この便座支持部材２に便座３ｅ及び便蓋３ｆが起倒方向回動自在に取り付けられている。図１，２に図示はしないが、この便座３ｅには、該便座３ｅへの着座を検知する静電容量変化型の着座センサが組み込まれている。
【００１５】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル１０，１１及びモータ駆動式温水切替弁装置１２が設置されている。また、このフロントベースプレート３ａの底面には、便座支持部材２が浮上したときにその下側領域Ｓを照らすための照明３ｇが設けられている。この照明３ｇとしてはＬＥＤが好適であるが、これに限定されない。
【００１６】
また、このフロントベースプレート３ａ上には、便座３ｅ及び便蓋３ｆを開閉させる電動開閉ユニット１３、人体臀部に向けて温風を吹き出してその乾燥を行う温風ファン１４、便鉢内から臭気を含んだ空気を吸引して脱臭する脱臭ファン１５及び脱臭カートリッジ１６が設けられている。
【００１７】
さらに、図１，２に図示はしないが、このフロントベースプレート３ａには、該フロントベースプレート３ａが洋風便器本体１上に下降したことを検出するためのリミットスイッチ等の下降終了検知センサが設けられている。
【００１８】
カバー３ｄには、便器本体１に近づいたり離反した人体を検知するための人体検知センサ１７，１８が設けられている。
【００１９】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ（図１にのみ図示）、便座支持部材２を押し上げたり、降下させたりするためのモータ駆動式浮上ユニット２０、ヒータ及び電動ファンよりなる部屋暖房ファン２１、電源基板２２、制御回路基板２３、便鉢やトラップ部へ水を供給するためのバルブユニット２４等が設けられている。
【００２０】
制御回路基板２３には、切替弁装置１２、開閉ユニット１３、温風ファン１４、脱臭ファン１５、浮上ユニット２０、暖房ファン２１、バルブユニット２４等を制御するためのそれぞれの制御回路が搭載されている。
【００２１】
この温水洗浄機構は、トイレルームの壁面に取り付けられたリモコンによって操作される。また、このリモコンには、浮上ユニット２０を浮上動作させるための浮上スイッチと、浮上ユニット２０を下降動作させるための下降スイッチとが設けられている。このリモコンには、さらに、便器本体の鉢部をフラッシュ洗浄するためのフラッシュスイッチが設けられている。
【００２２】
図３に示す通り、浮上スイッチ、下降スイッチ及び下降終了検知センサの信号が浮上ユニット２０の昇降制御回路に入力されている。この下降スイッチ及び下降終了検知センサの信号は便器洗浄制御回路にも入力されている。この便器洗浄制御回路には、リモコンのフラッシュスイッチ、人体検知センサ１７，１８、便座３ｅの着座センサの信号も入力されている。
【００２３】
この便器設備の作動について次に説明する。
【００２４】
リモコンの浮上スイッチを操作すると、浮上ユニット２０が便座支持部材２のフロントベースプレート３ａを所定高さまで押し上げ、その状態に停止させる。また、便座支持部材２が上昇すると、照明３ｇが点灯する。これにより、浮上した便座支持部材２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。
【００２５】
リモコンの下降スイッチを操作すると、浮上ユニット２０は、下降終了検知センサが下降終了を検知するまで該フロントベースプレート３ａを下降させる。
【００２６】
この実施の形態に係る便器設備にあっては、便座支持部材２が下降終了した状態となっている場合、人体が便座３ｅに着座してから立ち上がり、それからある程度時間が経過すると、バルブユニット２４が自動的に開弁動作して鉢面の自動フラッシュ洗浄が行われる。また、男子小用のように、人体が洋風便器本体１の前方に用便時間程度以上存在してから立去ったときにも、バルブユニット２４が自動的に開弁動作して自動フラッシュ洗浄が行われる。なお、人体がセンサ１７又は１８で検知されたときに予備洗浄動作が自動的に行われてもよい。
【００２７】
便座支持部材２が下降した状態にあるときにリモコンのフラッシュスイッチを操作した場合にも、便器本体１のフラッシュ洗浄が行われる。この洗浄は、スイッチを手で操作したことにより実行されるマニュアル洗浄である。
【００２８】
この実施の形態にあっては、便座支持部材２が浮上を開始したり又は浮上完了した状態にあるときには、上記の自動洗浄及びマニュアル洗浄のいずれもが実行されないものとなっている。ただし、この浮上時にあってもマニュアル洗浄は実行可能としてもよい。
【００２９】
浮上した便座支持部材２が下降終了すると、それから所定時間ｔの間は、自動洗浄停止はまだ解除されず、このｔ時間の間はマニュアル洗浄のみが可能となっている。このため、便座３ｅに手を触れて便座３ｅの清掃を行ったり、あるいは清掃作業者が人体検知センサ１７，１８で検知されたりしても、自動予備洗浄や自動フラッシュ洗浄は実行されない。そのため、無駄に水が流れることが防止される。
【００３０】
このｔ時間の間は、マニュアル洗浄が可能であるので、便器に流すことができる水溶性拭き掃除ペーパーを流去させることができる。もちろん、鉢面に付着した洗剤や薬剤をフラッシュによって洗い流すことも可能である。
【００３１】
上記実施の形態では下降終了検知後にｔ時間だけ自動洗浄停止及びマニュアル洗浄可能時間帯を設けているが、下降スイッチを操作した段階で自動洗浄停止及びマニュアル洗浄可能としてもよい。この場合の自動洗浄停止及びマニュアル洗浄可能時間帯の終期は前記図３（ｂ）の下降終了後にｔ時間経過した時点としてもよく、それよりも若干早期であってもよい。
【００３２】
なお、時間ｔは１〜１０分、特に３〜５分程度とするのが好ましいが、これよりも短くても長くてもよい。この時間ｔの長短は、清掃者が変更設定できるよう構成するのが好ましい。
【００３３】
なお、上記実施の形態はいずれも本発明の一例であり、本発明は図示以外の構成とされてもよいことは明らかである。
【００３４】
上記実施の形態では、電動式の浮上ユニット２０を採用しているが、下降終了検知センサが設けられているならば、手動式の便座支持部材昇降機構を採用してもよい。この場合、図３（ｂ）と同様に、便座支持部材の下降が下降終了検知センサで検知されてからｔ時間が経過するまでは自動洗浄が停止されマニュアル洗浄のみが行われる。
【００３５】
【発明の効果】
以上の通り、本発明によると、便座支持部材を下降させてから所定時間は自動洗浄が行われないので、便器本体等の清掃中に予期せず便器洗浄水が流れたり、清掃動作に伴って何回も水が流れて無駄になったりすることが防止される。
【図面の簡単な説明】
【図１】実施の形態に係る便器設備の側面図である。
【図２】図１の便器設備の斜視図である。
【図３】実施の形態に係る便器設備の制御ブロック図である。
【符号の説明】
１　便器本体
２　便座支持部材
３ａ　フロントベースプレート
３ｅ　便座
３ｆ　便蓋
１３　開閉ユニット
１７，１８　人体検知センサ
２０　浮上ユニット
２４　バルブユニット
【図１】
2004089524.tif 000003
【図２】
2004089524.tif 000004
【図３】
2004089524.tif 000005